(57)【要約】【目的】先に手書きされた描画情報の保護を図ると共に消去操作を容易にする手書き入力表示装置を提供すると共に、共用するホワイトボード上に他の利用者が手書きした描画情報を消去することのできるホワイトボード共用システムを提供する。【構成】手書き入力表示装置は、設定自在なユーザＩＤを保持し、前記描画情報が前記描画情報記憶部に記憶される際に、前記描画情報を前記ユーザＩＤに関連付けて記憶せしめ、消去対象範囲入力に応じて、記憶された描画情報のうちで当該消去対象範囲に対応する描画情報であると共に、保持されているか又は新たに選択されたユーザＩＤに関連付けられた描画情報を消去する。【選択図】図１
2010239469.tif 000002
【特許請求の範囲】
【請求項１】
タブレット部に対する入力ペンの描画操作に応じて描画情報を取り込むペン入力部と、前記描画情報を記憶する描画情報記憶部と、前記描画情報を前記タブレット部に表示するタブレット表示部と、を備える手書き入力表示装置であって、
設定自在なユーザＩＤを保持する保持手段と、
前記描画情報が前記描画情報記憶部に記憶される際に、前記描画情報を前記ユーザＩＤに関連付けて記憶せしめる制御手段と、
消去対象範囲入力に応じて、前記描画情報記憶部に記憶された描画情報のうちで前記消去対象範囲に対応すると共に、前記消去対象範囲入力の時点で保持されているユーザＩＤに関連付けられた描画情報を消去する消去手段と、
を含むことを特徴とする手書き入力表示装置。
【請求項２】
前記描画情報記憶部に記憶される描画情報を、通信ネットワークを介して他の手書き入力表示装置と共用する描画情報共用手段をさらに含み、前記消去手段は、前記消去対象範囲に対応する描画情報のうちで、前記保持手段によって保持されているユーザＩＤに関わりなく、新たに選択入力されたユーザＩＤに関連付けられた描画情報を消去することを特徴とする請求項１記載の手書き入力表示装置。
【請求項３】
消去対象の色彩を選択する色彩選択手段をさらに含み、前記消去手段は、当該選択された色彩の描画情報を消去することを特徴とする請求項１又は２記載の手書き入力表示装置。
【請求項４】
前記前記消去手段は、前記入力ペンの描画操作よって描画された閉曲線によって前記消去対象範囲を画定することを特徴とする請求項１又は２記載の手書き入力表示装置。
【請求項５】
前記入力ペン操作よって描画された手書き文字を符号化された認識文字に変換する文字認識手段をさらに含み、前記描画情報記憶部は、前記認識文字を前記描画情報として記憶することを特徴とする請求項１又は２記載の手書き入力表示装置。
【請求項６】
前記認識文字の表示サイズを前記手書き文字の描画サイズに合わせる描画補正手段をさらに含むことを特徴とする請求項５記載の手書き入力表示装置。
【請求項７】
前記入力ペン操作よって描画された手書き描線を、座標始点及び座標終点からなる直線情報に変換する直線認識手段をさらに含み、前記描画情報記憶部は、前記直線情報を前記描画情報として記憶することを特徴とする請求項１又は２記載の手書き入力表示装置。
【請求項８】
前記直線認識手段は、前記手書き描線と前記手書き描線の座標始点と座標終点との間を結ぶ補間直線との偏差が所定閾値内にあることを条件として、前記手書き描線を前記直線情報に変換することを特徴とする請求項７記載の手書き入力表示装置。
【請求項９】
請求項１記載の手書き入力表示装置の複数と、前記手書き入力表示装置の各々の間で前記描画情報を、電子ホワイトボードに描画される描画情報として共用する描画情報共用手段と、前記電子ホワイトボードの描画情報の少なくとも１部を消去し得る編集権を前記手書き入力表示装置の何れかに与える編集権管理手段と、を含むことを特徴とするホワイトボード共用システム。
【請求項１０】
前記編集権管理手段は、前記電子ホワイトボードの描画情報の全体の書込権、変更権及び消去権を分離して管理するか、及び／又は入力者自身を含む特定の利用者が入力した内容に対する書込権、変更権及び消去権を分離して管理することを特徴とする請求項９記載のホワイトボード共用システム。
【発明の詳細な説明】
【技術分野】
【０００１】
本発明は、携帯式の手書き入力表示装置に関すると共に、ネットワーク上に設けられた電子黒板またはホワイトボートの如き仮想的な手書き媒体に対して、複数の操作者が各自の手書き入力表示装置を介して描画情報の編集を行うことによって互いに情報交換を行うホワイトボード共用システムに関する。
【背景技術】
【０００２】
手書き入力表示装置は、ノートツールとも称され、携帯端末として持ち歩くことで、何冊もの紙のノートを持ち歩くことなくメモリ容量の許す限り自由にメモを取ることができ、取った後のノートもルーズリーフのように自由に組み換えることができる利点がある。一方、複数の利用者が各々の手書き入力表示装置を利用して、電子ホワイトボートや電子黒板等を通信ネットワークを介して共用する技術が知られている。
【０００３】
特許文献１は、発言権制御部が司会者入力装置からの指示に従って、１つの参加者入力装置のみに発言権を与え、他の参加者入力装置に発言権を与えないようにし、電子黒板表示部が発言権が与えられた参加者入力装置から入力された発言内容を電子黒板に表示することによって、電子黒板に勝手に発言内容を書き込むことができず、議事進行を円滑に行なうことかできるとしている。
【０００４】
特許文献２は、選択されたレイヤを共有画面へ重畳表示するための手段と、情報端末ごとに対応させたレイヤ及びレイヤに関した情報を記憶する手段と、情報端末よりレイヤ情報取得要求がある場合に管理しているレイヤ情報を配信する手段とを有する構成により、指定レイヤに描画されている描画オブジェクトのみを選択表示させるため、アノテーションがどの端末から行われたものかの判別が容易になるとしている。
【先行技術文献】
【特許文献】
【０００５】
【特許文献１】特開平６−２４３０８４号公報
【特許文献２】特開２００８−２４５００５号公報
【発明の概要】
【発明が解決しようとする課題】
【０００６】
しかしながら、従来の電子ホワイトボード等の手書き入力表示装置では、他の利用者か先に手書きした描画情報を誤って消去してしまう虞があり、描画情報の保護が十分ではないという問題がある。また、手書き入力表示装置では、従来の単色の描画情報の取捨選択が困難で、ホールドや記述情報の識別及び整理が困難であるという問題がある。また、消しゴム、黒板消しツールのようなもので一旦表示された描画情報を消去する場合は、記述した場所を再びなぞらなければならない手間もかかるし、一度で広い領域を消去できるように消去範囲を大きくすると意図しない領域まで誤消去する虞がある。逆に、消しゴムツールの消去領域を小さくした場合は消去のためになぞる回数が増えることになる。
【０００７】
一方、複数の参加者が、かかる手書き入力表示装置を利用して電子ホワイトボートや電子黒板等をネットワークを介して共用する形態において、ある参加者が手書きできる権利すなわち発言権に係る制御技術は従来から提供されているものの、他の参加者が手書きした内容を消去する消去権にかかる制御技術は何ら提供されていなかった。
【０００８】
本発明の目的は、先に手書きされた描画情報の保護を図ると共に消去操作を容易にする手書き入力表示装置を提供すると共に、共用するホワイトボード上に他の利用者が手書きした描画情報を消去することのできるホワイトボード共用システムを提供することである。
【課題を解決するための手段】
【０００９】
本発明による手書き入力表示装置は、タブレット部に対する入力ペンの描画操作に応じて描画情報を取り込むペン入力部と、前記描画情報を記憶する描画情報記憶部と、前記描画情報を前記タブレット部に表示するタブレット表示部と、を備える手書き入力表示装置であって、設定自在なユーザＩＤを保持する保持手段と、前記描画情報が前記描画情報記憶部に記憶される際に、前記描画情報を前記ユーザＩＤに関連付けて記憶せしめる制御手段と、消去対象範囲入力に応じて、前記描画情報記憶部に記憶された描画情報のうちで前記消去対象範囲に対応すると共に、前記消去対象範囲入力の時点で保持されているユーザＩＤに関連付けられた描画情報を消去する消去手段と、を含むことを特徴とする。
【００１０】
本発明によるホワイトボード共用システムは、上記した手書き入力表示装置の複数と、前記手書き入力表示装置の各々の間で前記描画情報を、電子ホワイトボードに描画される描画情報として共用する描画情報共用手段と、前記電子ホワイトボードの描画情報の少なくとも１部を消去し得る編集権を前記手書き入力表示装置の何れかに与える編集権管理手段と、を含むことを特徴とする。
【発明の効果】
【００１１】
本発明による手書き入力表示装置及びホワイトボード共用システムによれば、描画情報はユーザＩＤと関連付けられて記憶される。これにより、先に手書きされた描画情報の保護が図られると共に消去操作が容易になる。また、電子ホワイトボード上の描画情報を他の利用者と共用した場合にも、他の利用者が手書きした描画情報を消去することができる。
【図面の簡単な説明】
【００１２】
【図１】本発明による第１の実施例を示し、ノートツールの外観を示す正面図である。
【図２】図１に示したノートツールの機能構成を示すブロック図である。
【図３】図２に示した描画情報記憶部及び設定情報保持部それぞれの内容例を示すブロック図である。
【図４】ノートツールの状態遷移及びモード遷移の様子を示す図である。
【図５】閉曲線と消去範囲との関係を示す図である。
【図６】手書き文字と補正された認識文字との関係を示す図である。
【図７】本発明の第２の実施例を示し、ホワイトボード共用システムの全体構成を示すブロック図である。
【図８】図７に示された通信端末の内部構成を示すブロック図である。
【図９】描画情報を共用する場合におけるノートツールの状態遷移及びモード遷移の様子を示す図である。
【発明を実施するための形態】
【００１３】
本発明の実施例について添付の図面を参照しつつ詳細に説明する。
【００１４】
＜第１の実施例＞
図１は、本発明による第１の実施例を示し、ノートツールの外観を示している。ノートツール３０は、本発明による手書き入力表示装置に相当し、本体３１と入力ペン３２とからなる。本体３１は、入力ペン３２の操作によって描画された描画情報を取り込むと共に取り込んだ描画情報をそのまま表示するタブレット部３１７と、各種操作ボタンとからなる。
【００１５】
各種操作ボタンは、装置電源をＯＮ／ＯＦＦするための電源ボタン３３と、既に取り込まれた情報を補正するための補正ＯＮ／ＯＦＦボタン３４と、外部の通信ネットワーク上に置かれた共有描画情報記憶部（図７参照）に対する編集送信権をＯＮ／ＯＦＦするための編集送信権ＯＮ／ＯＦＦボタン３５と、描画情報を表示する際の色彩を指定するための色彩パレットボタン３６と、文字カーソルを移動するための十字キーボタン３７と、描画情報を表示する際にこれを拡大又は縮小するためのズームイン・アウトボタン３８と、ペン入力される描線の幅を調整するための描線幅調整ボタン３９と、一旦取り込まれて表示された描画情報を消去するための消去モードボタン３１０と、消去モードにおいて閉曲線内を消去するための内側消去ボタン３１１と、消去モードにおいて閉曲線外を消去するための外側消去ボタン３１２と、描画情報がページ単位に記憶された際に表示ページを移動するためのページ移動ボタン３１３と、現在表示中のページ番号を表示するページ表示部３１４と、直近の操作内容を撤回するためのキャンセルボタン３１５と、現在の表示内容を保持するためのホールド（ＨＯＬＤ）ボタン３１６と、直近の操作内容を確定するための確定ボタン３１８と、が備えられている。
【００１６】
図２は、図１に示されたノートツール３０の機能構成を示している。ノートツール３０は、各種制御ボタンの押下に応じて対応する動作を制御すると共に、描画情報を描画情報記憶部４４に記憶する際に、当該描画情報をユーザＩＤに関連付けて記憶せしめる制御を行う動作制御部４１と、手書き文字を認識して符号化された認識文字に変換する文字認識部４２と、手書き文字のサイズに合わせて認識文字の表示サイズを補正したり描線の太さを補正したりする描画補正部４３と、取り込んだ手書き文字や手書き描線と文字認識により得られた認識文字とを記憶する描画情報記憶部４４と、利用者のユーザＩＤや標準表示仕様等の設定情報を保持する設定情報格納部４５と、描画情報に付される入力時刻を生成する時計機能部４６と、描画情報記憶部４４に記憶された描画情報を表示するタブレット表示部４７と、入力ペン３２と協働して手書き情報を取り込むペン入力部４８と、外部の通信端末やネットワークと接続するための入出力インタフェース４９と、各部に電力を供給する電源４１０と、を含む。
【００１７】
図３は、描画情報記憶部４４及び設定情報格納部４５それぞれの内容例を示している。
【００１８】
描画情報記憶部４４は、例えば、描画情報のページ番号、描画情報を構成する描線や文字毎の座標、色彩、補正可否のＯＮ／ＯＦＦ設定、入力時刻、及びユーザＩＤを含む。ユーザＩＤは、描画情報が取り込まれる時点において設定情報格納部４５に設定されている内容が用いられる。これにより、描画情報とユーザＩＤとが関連付けられる。
【００１９】
設定情報格納部４５は、標準的に使用される描線の色や描線の幅、描線及び文字補正のＯＮ／ＯＦＦ設定、表示倍率、文字補正ＯＮの場合の補正後の文字のフォント種別及びサイズ、ユーザＩＤ、及び編集送信権の有無を含む。ユーザＩＤは、利用者が予め任意に設定し得る識別情報である。編集送信権が有るとは、描画情報が複数のノートツールによって共用される場合において、共用される描画情報に対する編集権が自己のノートツールにあることを意味する。編集送信権の有無は動作制御部４１によって時機に応じて設定される。例えば、動作制御部４１は、編集送信権ＯＮ／ＯＦＦボタン３５の押下に応じて外部の管理サーバ（図７参照）に編集権の付与を要求し、その結果に応じて編集送信権の有無を設定する。
【００２０】
図４は、ノートツール３０の状態遷移及びモード遷移の様子を示している。ここでは、ノートツール３０は、単独で、すなわちスタンドアローン型装置として利用されるものとする。前提として、初期状態Ｓ１において、予めノートツール３０の設定情報格納部４５には、文字入力等の操作によって、利用者のユーザＩＤが任意に設定されているものとする。以下、ノートツール３０動作について図１及び図２に示された構成要素を適宜参照して説明する。
【００２１】
初期状態Ｓ１において、ノートツール３０の電源ボタン３３が押されると、ノートツール３０は単独編集状態Ｓ２で起動される。この際、最初の起動では１ページ目がタブレット部３１７に表示されるが、既に描画情報が記憶されている場合には、例えば描画情報が存在する最終ページまたは白紙の次ページが表示される。単独編集状態Ｓ２において、利用者は任意の描画情報、例えば描線や文字を入力することができる。描画情報には、入力時刻と共に、設定情報格納部４５に設定されたユーザＩＤが付与されて描画情報記憶部４４に記憶される。ノートツール３０の電源ボタン３３が再度押されると電源ＯＦＦとなり初期状態Ｓ１に戻る。
【００２２】
単独編集状態Ｓ２において、既に入力された内容を消去する場合は、利用者は消去モードボタン３１０を押す。消去モードボタン３１０が押されると、ノートツール３０は消去対象となる色彩を選択するモードＭ１へと移行する。利用者は、黒のみ、赤のみ、黒と青または全色等の如く所望の色彩を色彩パレットボタン３６によって選択して確定ボタン３１８を押す。これに応じて、ノートツール３０は消去対象範囲を選択するモードＭ２へと移行する。確定ボタン３１８を押される前にキャンセルボタン３１５が押されれば、単独編集状態Ｓ２に戻る。
【００２３】
モードＭ２において、利用者がペン入力によって閉曲線を表示画面に直接入力したとする。ノートツール３０は、この閉曲線を構成する全座標を閉曲線データとして記憶する。この場合の閉曲線データは、太さ情報を含まない複数の座標点の集積であり、各座標点の上下左右斜め８方向の何れかに必ず隣接する座標点があるデータとして記録される。利用者の操作如何によっては書き始めと書き終わりで閉曲線からはみ出した部分が発生する可能性がある。この場合、はみ出した部分は当該閉曲線データから除外される（図５（ａ）参照）。キャンセルボタン３１５が押されれば、単独編集状態Ｓ２に戻る。
【００２４】
利用者は、閉曲線を描いたら次に確定ボタン３１８を押すことで消去対象範囲を確定させる。この後、利用者が内側消去ボタン３１１または外側消去ボタン３１２を押すことで、消去条件に適合する描画情報に対して実際に消去がなされる。ここで、消去条件に適合する描画情報とは、選択された色彩や消去範囲に適合する描画情報であると共に、設定情報格納部４５に設定されたユーザＩＤに一致するユーザＩＤが付された描画情報を意味する。次いで、元の単独編集状態Ｓ２に移行する。
【００２５】
尚、色彩や消去範囲からなる消去条件を確定する操作が多いため、アンドゥー（undo）ボタンと通常称されるボタンを別途設けることで、１つ手前の消去条件が確定されていない状態に移行する仕組みがあってもよい。また、操作履歴をノートツール３０内に蓄積しておくことで、単独編集状態Ｓ２における各操作を１つ手前の状態に戻す処理にこのアンドゥーボタンを利用できるようにしてもよい。
【００２６】
図５は、閉曲線と消去範囲との関係を示している。閉曲線Ｌ１及びＬ２の各々によって画定される消去範囲には内側及び外側の２通りがあり得る。内側消去ボタン３１１ボタンが押された場合、閉曲線Ｌ１又はＬ２の内側及び線上にある座標の描画情報のうち、選択された色彩や設定されたユーザＩＤからなる消去条件に適合する描画情報が描画情報記憶部４４から消去される。外側消去ボタン３１２ボタンが押された場合、閉曲線Ｌ１又はＬ２の外側にある座標の描画情報のうち、同様の消去条件に適合する描画情報が描画情報記憶部４４から消去される。描画情報記憶部４４からの消去結果、タブレット部３１７の表示からも当該描画情報が消されることになる。
【００２７】
ある座標点が閉曲線Ｌ１またはＬ２の内側にあるか外側にあるかの判定方法については幾つかの手法が用いられ得る。例えば、閉曲線Ｌ２に含まれる各座標点毎に、当該座標点のＹ座標と隣り合うＹ座標に存在し且つ閉曲線Ｌ２に含まれる座標点の有無及び数を判定することよって行う。例えば、閉曲線Ｌ２上の座標点Ｐ１について見ると、座標点Ｐ１のＹ座標ｙ１に対して隣に位置するＹ座標ｙ２上に座標点Ｐ２及び座標点Ｐ３が存在する。この場合、座標点Ｐ２と座標点Ｐ３とに挟まれる領域と、それ以外の領域とが峻別される。以下、閉曲線Ｌ２に含まれる各座標点毎に、これを繰り返すことによって内側と外側の各領域が区別され得る。
【００２８】
図６は、手書き文字と補正された認識文字との関係を示す図である。両者の関係について図２に示された構成要素を適宜参照して説明する。
【００２９】
図６の（ａ）に示されるように、手書き入力された描画文字「販売促進」が描線によって表示されている。補正ＯＮ／ＯＦＦボタン３４が押されると、ノートツール３０の文字認識部４２は、手書き文字「販売促進」を文字認識して、符号化された「販売促進」を認識文字として取得する。文字認識の手法については周知の技術が用いられ得る。描画補正部４３は、手書き文字「販売促進」を構成する描画情報の各座標点のうち、Ｙ座標の値を最大とし且つＸ座標の値を最小とずる座標点Ｐ１と、Ｙ座標の値を最小とし且つＸ座標の値を最大とする座標点Ｐ２を認識する。
【００３０】
図６の（ｂ）に示されるように、次に、描画補正部４３は、座標点Ｐ１と座標点Ｐ２との間の線分を対角線とする矩形Ａ（すなわち、手書き領域）を画定し、この矩形Ａ内に補正後の文字として認識文字「販売促進」を表示する。補正後の文字のフォント種別及びサイズは、設定情報格納部４５に設定されたフォント種別及びサイズに従っても良いし、好ましくは補正後の文字のサイズを矩形Ａのサイズに自動的に合わせる。
【００３１】
変形例として、図２に示された描画補正部４３は、入力ペン操作よって描画された手書き描線を、補正ＯＮ／ＯＦＦボタン３４の操作に応じて、座標始点及び座標終点からなる直線情報に変換する機能を備えてもよい。描画情報記憶部４４は、かかる直線情報を表示されるべき描画情報として記憶する。ここで、描画補正部４３は、当該手書き描線と当該手書き描線の座標始点と座標終点との間を結ぶ補間直線との偏差が所定閾値内にあることを条件として、当該手書き描線を直線情報に変換する。
【００３２】
以上の第１の実施例において、複数の色彩や描線の太さを指定できる携帯可能なノートツールが手書き入力表示装置として提供される。手書き入力表示装置は、また、消去モードボタンを操作することにより、閉曲線の内側または外側のデータを纏めて消去することができる。手書き入力表示装置は、さらに、手書きの文字に対して文字認識を行い該当領域に指定したフォントで手書き領域の大きさに合わせたフォントサイズで認識文字を表示することができる。これにより、描画情報の多彩な表示や消去操作における直感的な操作が可能となる。
【００３３】
＜第２の実施例＞
図７は、本発明の第２の実施例を示し、ホワイトボード共用システムの全体構成を示している。ここで、通信端末２０ａ及び２０ｂを各々利用してＴＶ会議を行う利用者が併せてノートツール３０ａ及び３０ｂを各々利用してホワイトボードを共用する形態が示されている。通信端末２０ａ及び２０ｂ並びにノートツール３０ａ及び３０ｂは２台ずつしか図示されていないが最大許容数を制限するものではない。通信端末２０ａ及び２０ｂは、ＩＰプロトコルを利用したインターネットや企業内のイントラネット等である通信ネットワーク５０に接続されている。通信端末２０ａ及び２０ｂは、ＴＶ会議サービスの提供を受けることができる通常の通信端末である。通信ネットワーク５０には、ホワイトボード共用サービスを提供するサービス運営事業者網１０が接続されている。
【００３４】
サービス運営事業者網１０は、利用者にホワイトボード共用を行う領域として共用描画情報記憶部１３と、共用描画情報記憶部１３に対する各利用者の編集送信権を管理する管理サーバ１１と、を含む。利用者の編集送信権は、１つの仮想的なホワイトボードに対して新たな書き込みをなす書込権と共に、自身が書いた描画情報のみならず他の利用者が書いた描画情報に対する変更権や消去権を含む。サービス運営事業者網１０は、ホワイトボード共用サービスの運営主体が保守及び管理を行うネットワークである。共用描画情報記憶部１３は、世界に単独あるいは地域毎に設置されても良いし、負荷分散や災害時対策等のため複数台の装置に分散設置されてもよい。管理サーバ１１は、共用描画情報記憶部１３に対する各利用者の編集送信権を管理するために編集権管理テーブル１２を含む。管理サーバ１１は、編集権管理テーブル１２に現在時点で編集送信権を有する利用者を特定するユーザＩＤを設定する。
【００３５】
管理サーバ１１による編集送信権の割り当ては、例えば、通信端末２０ａ及び２０ｂを用いてなされ得るＴＶ会議システムサービスにおける発言権の割り当てに一致させてもよい。また、通信端末２０ａ及び２０ｂの何れか先に編集送信権ＯＮ／ＯＦＦボタン３５を押した方の通信端末に編集送信権を与えて、当該通信端末が再び編集送信権ＯＮ／ＯＦＦボタン３５を押して編集送信権を放棄する迄、当該通信端末に編集送信権を維持するようにしてもよい。
【００３６】
また、管理サーバ１１は、編集送信権のうちで前記電子ホワイトボードの描画情報の全体の書込権、変更権及び消去権を分離して管理してもよいし、及び／又は入力者自身を含む特定の利用者が入力した内容に対する書込権、変更権及び消去権を分離して管理してもよい。例えば、特定のユーザＩＤに関連付けられた描画情報について消去権を制限するようにしてもよい。
【００３７】
複数のノートツール３０ａ及び３０ｂの各々は、通信端末２０ａ及び２０ｂの各々に接続され、上記した仮想的な１つのホワイトボードをそのタブレット部に表示すると共に入力ペンを用いてホワイトボードに描画することができる。ノートツール３０ａ及び３０ｂには、このホワイトボードに描画された同一の描画情報が同時に表示される。
【００３８】
図８は、図７に示された通信端末２０の内部構成を示している。ここで、通信端末２０は、汎用コンピュータ本体２１と、ディスプレイ、プロジェクタ、スピーカまたはプリンタ等である出力装置２９と、キーボード、マウスまたはマイク等である入力装置２１０と、からなる。汎用コンピュータ本体２１は、通常の構成として、電源２２と、メモリ２３と、処理部（ＣＰＵ）２４と、ハードディスクドライブ等の情報格納装置２５と、システムバス、メモリバス、入出力バスまたは拡張バスであるバス２６と、入出力インタフェース２７と、通信インタフェース２８とを備える。ノートツール３０とは入出力インタフェース２７を介して接続されている。これにより、ノートツール３０は、通信端末２０及び通信ネットワーク５０を介してサービス運営事業者網１０内の管理サーバ１１及び共用描画情報記憶部１３にアクセスすることができる。
【００３９】
図９は、描画情報を共用する場合におけるノートツール３０の状態遷移及びモード遷移の様子を示している。ここでは、ノートツール３０は、ＴＶ会議におけるホワイトボードとして、共有描画情報記憶部の内容と自己の描画情報記憶部との同期を取り、同一の描画情報を他のノートツールと共用する。以下、ノートツール３０動作について図１、図２及び図７に示された構成要素を適宜参照して説明する。
【００４０】
初期状態Ｓ１において、ノートツール３０の電源ボタン３３が押されると、ノートツール３０は単独編集状態Ｓ２で起動される。この際、最初の起動では１ページ目がタブレット部に表示されるが、既に描画情報が存在する場合は、例えば描画情報の存在する最終ページまたは白紙の次ページが表示される。単独編集状態Ｓ２において、利用者は任意の描画情報、例えば描線や文字を入力することができる。
【００４１】
単独編集状態Ｓ２にあるノートツール３０が接続された通信端末２０において、ＴＶ会議のセッションが確立されると、ノートツール３０は表示専用状態Ｓ３に移行する。このとき、例えば、単独編集状態Ｓ２での起動ページに何らかの情報が記録されている場合はその次のページが表示される。一方、何も記録されていない場合には、例えば、単独編集状態Ｓ２での起動ページがそのまま会議用のホワイトボードとして利用される。
【００４２】
ＴＶ会議のセッションの確立手順は、例えば、ＳＩＰ（Session Initiation Protocol）／ＩＭＳ（Information Management System）におけるカンファレンスコールのコールシーケンスに準じる。ここで、コールシーケンスに引き続いて、音声信号及び映像信号のためのＲＴＰ（Real-time Transport Protocol）セッションが確立されると共に、ホワイトボードを共有するための専用ＲＴＰセッションが別ポート番号にて確立される。
【００４３】
表示専用状態Ｓ３において、ノートツール３０は、デジタルホワイトボードの内容をデフォルト設定として設定情報格納部４５の設定内容に従って表示する。デフォルト設定の内容は、例えば、描線の色を黒とし、描線の幅を標準とし、描線及び文字補正ＯＦＦとし、表示倍率１００％（すなわち、全画面表示）とし、文字補正ＯＮの場合の補正後の文字のフォント種別及びサイズを各々ゴシック及び１０ｐｔとし、セション開始時点では「編集送信権」が無いとする。デフォルト設定の内容を会議に参加する利用者全員のノートツールにおいて一致させることにより、利用者全員が全く同一の表示形態でホワイトボードを視認することができる。
【００４４】
表示専用状態Ｓ３において、ノートツール３０は、他の利用者による編集内容を一方的に受信し、編集された描画情報を自身の描画情報記憶部４４に蓄積すると共にタブレット部３１７に表示する。座標点が重複する描画情報が存在する場合、最も新しい時刻情報を有する描画情報を画面レイヤ上で最上位に表示する。また、編集送信権がＯＮとなっている他のノートツールからページ移動コマンドを直接又は管理サーバ１１経由で受信し、これに応じて自動的に表示するページを移動してもよい。
【００４５】
表示専用状態Ｓ３において、操作者が編集送信権ＯＮ／ＯＦＦボタン３５を押下すると、ノートツール３０は会議編集状態Ｓ４に移行する。会議編集状態Ｓ４において、編集権の与えられた利用者は任意の描画情報、例えば描線や文字を入力することができる。編集内容は、一旦自己の描画情報記憶部４４に記憶されると共に、ホワイトボードを共有するための専用ＲＴＰセッションを介して共用描画情報記憶部１３に反映される。共用描画情報記憶部１３の内容は専用ＲＴＰセッションを介して他の利用者のノートツールに反映される。共用描画情報記憶部１３に記憶される描画情報には、描画情報の内容のみならず編集したユーザＩＤが含まれる。これにより、利用者を指定した描画情報の消去が可能となる。
【００４６】
会議編集状態Ｓ４において、表示された内容を消去する場合は、利用者は消去モードボタン３１０を押す。消去モードボタン３１０が押されると、ノートツール３０は消去対象となる色彩を選択するモードＭ１へと移行する。利用者は、黒のみ、赤のみ、黒と青または全色等の如く所望の色彩を色彩パレットボタン３６によって選択して確定ボタン３１８を押す。これに応じて、ノートツール３０は消去対象ユーザを選択するモードＭ２へと移行する。確定ボタン３１８を押される前にキャンセルボタン３１５が押されれば、単独編集状態Ｓ２に戻る。確定ボタン３１８が押される前にキャンセルボタン３１５が押されれば、会議編集状態Ｓ４に戻る。
【００４７】
消去対象ユーザを選択するモードＭ２においては、タブレット部３１７の入力用画面に会議中のユーザ一覧が表示されるので、消去対象としたいユーザを選択した後確定ボタン３１８を押すことで確定する。これに応じて、ノートツール３０は消去対象範囲を選択するモードＭ３へと移行する。確定ボタン３１８が押される前にキャンセルボタン３１５が押されれば、会議編集状態Ｓ４に戻る。
【００４８】
消去対象範囲を選択するモードＭ３以降の動作は、第１の実施例において説明された動作と同様であることから説明を省略する。表示専用状態Ｓ３や会議編集状態Ｓ４でＴＶ会議セッションが切断されると、ノートツール３０は単独編集状態Ｓ２に復帰する。単独編集状態Ｓ２、表示専用状態Ｓ３及び会議編集状態Ｓ４においで電源ボタン３３が再度押されると電源ＯＦＦとなり初期状態Ｓ１に戻る。
【００４９】
以上の第２の実施例において、複数の利用者が描画情報入力表示装置であるノートツールを各々用いてホワイトボードを共有するホワイトボード共用システムが提供される。これにより、ＴＶ会議等の多数の参加者が１つのホワイトボートを介して会議が可能となると共に、時機よって任意の利用者のノートツールに、ホワイトボートに既に書かれた描画情報を消去し得る編集送信権を与えることより、会議の円滑な遂行が可能となる。
【００５０】
以上の第２の実施例においては、共用描画情報記憶部が外部のネットワーク上に配置されて、共用された描画情報がサーバ・クライアント方式で配信される形態が示されたが、本発明にかかる限定はなく、複数のノートツールの各々間でピア・トゥー・ピア方式で描画情報を直接交換することで、実質的に同一の内容の描画情報を複数のノートツールが共有するようにしてもよい。
【００５１】
また、以上の第２の実施例においては、利用者が通信端末を用いてＴＶ会議に参加しつつ、ノートツールを用いてホワイトホードを共用する形態が示されたが、本発明にかかる限定はなく、利用者は、ネットワーク通信機能備えるノートツールを用いて、通信端末を用いることなく、ホワイトホードを共用する形態も可能である。
【符号の説明】
【００５２】
１０  サービス運営事業者網
１１  管理サーバ
１２  編集権管理テーブル
１３  共用描画情報記憶部
２０、２０ａ、２０ｂ  通信端末
３０  ３０ａ、３０ｂ  ノートツール
３１  本体
３２  入力ペン
３３  電源ボタン
３４  補正ＯＮ／ＯＦＦボタン
３５  編集送信権ＯＮ／ＯＦＦボタン
３６  色彩パレットボタン
３７  十字キーボタン
３８  ズームイン・アウトボタン
３９  描線幅調整ボタン
３１０  消去モードボタン
３１１  内側消去ボタン
３１２  外側消去ボタン
３１３  ページ移動ボタン
３１４  ページ表示ボタン
３１５  キャンセルボタン
３１６  ホールドボタン
３１７  タブレット部
３１８  確定ボタン
４１  動作制御部
４２  文字認識部
４３  描画補正部
４４  描画情報記憶部
４５  設定情報格納部
４６  時計機能部
４７  タブレット表示部
４８  ペン入力部
４９  入出力インタフェース
４１０  電源
【図１】
2010239469.tif 000003
【図２】
2010239469.tif 000004
【図３】
2010239469.tif 000005
【図４】
2010239469.tif 000006
【図５】
2010239469.tif 000007
【図６】
2010239469.tif 000008
【図７】
2010239469.tif 000009
【図８】
2010239469.tif 000010
【図９】
2010239469.tif 000011